(57)【要約】【課題】簡素な構成でコストが安く、軟弱な商品等を含む各種の商品に対応可能で、効率の良い作業が可能なセミオートの組み合わせ計量機及びその使用方法を実現する。【解決手段】複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該最適組み合わせの物品を搬送する搬送手段を有し、最適組み合わせに該当する物品を該搬送手段上に於いて統合する組み合わせ計量機において、該計量皿は回転機構を有し、最適組み合わせに該当する物品の載置された計量皿が該回転機構により回転して該搬送手段上に物品を排出する。【選択図】図１
2018072177.tif 000002
【特許請求の範囲】
【請求項１】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該最適組み合わせの物品を搬送する搬送手段を有し、
最適組み合わせに該当する物品を該搬送手段上に於いて統合する組み合わせ計量機において、
該計量皿は回転機構を有し、
最適組み合わせに該当する物品の載置された計量皿が該回転機構により回転して該搬送手段上に物品を排出することを特徴とする、
組み合わせ計量機。
【請求項２】
該組み合わせ計量機に用いる計量皿は、
載置位置から１８０度回転することにより該搬送手段上に物品を排出することを特徴とする、
請求項１記載の組み合わせ計量機。
【請求項３】
該組み合わせ計量機に用いる計量皿は、
載置位置における水平中心線に対して上下で対象形であることを特徴とする、
請求項１又は２記載の組み合わせ計量機。
【請求項４】
該組み合わせ計量機に用いる計量皿は、
両端側が上面に於いて高くなる形状であることを特徴とする、
請求項１乃至３の何れか一に記載の組み合わせ計量機。
【請求項５】
該組み合わせ計量機に備えられる最適組み合わせに該当する物品の載置された計量皿が該回転機構により回転して該搬送手段上に物品を排出する機構は、
該最適組み合わせの物品を搬送する搬送手段と同期して動作し、
最適組み合わせに該当する物品を該搬送手段上に於いて統合することを特徴とする、
請求項１乃至４の何れか一に記載の組み合わせ計量機。
【請求項６】
該搬送手段は、
搬送面上に仕切りを有し、
最適組み合わせに該当する物品を該搬送手段上に於いて統合するにあたって該仕切りにて区分されることを特徴とする、
請求項１乃至５の何れか一に記載の組み合わせ計量機。
【請求項７】
該搬送手段は、
搬送面上に仕切りを有し、
該仕切りに収納容器を設置し、
最適組み合わせに該当する物品を該搬送手段上に於いて統合するにあたって該仕切りに設置された収納容器に収納されることを特徴とする、
請求項６記載の組み合わせ計量機。
【請求項８】
該組み合わせ計量機に備えられる最適組み合わせに該当する物品の載置された計量皿が該回転機構により回転して該搬送手段上に物品を排出する機構は、
該最適組み合わせの物品を搬送する搬送手段と同期して動作し、
さらに該搬送手段はその搬送動作中に速度が変化して、
最適組み合わせに該当する物品を該搬送手段上に於いて統合することを特徴とする、
請求項１乃至７の何れか一に記載の組み合わせ計量機。
【請求項９】
該組み合わせ計量機に備えられる該搬送手段の搬送動作中の速度変化は、
該回転機構が該搬送手段に備えられた仕切りの略中央部で減速または停止することであることを特徴とする、
請求項８記載の組み合わせ計量機。
【請求項１０】
該組み合わせ計量機の計量皿は、
樹脂製であることを特徴とする、
請求項１乃至９の何れか一に記載の組み合わせ計量機。
【請求項１１】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１０記載の組み合わせ計量機。
【請求項１２】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該最適組み合わせの物品を搬送する搬送手段を有し、
最適組み合わせに該当する物品を該搬送手段上に於いて統合する組み合わせ計量機において、
該計量皿は回転機構を有し、
最適組み合わせに該当する物品の載置された計量皿が該回転機構により回転して該搬送手段上に物品を排出し、
該搬送手段により該最適組み合わせの物品を搬送して該搬送手段の末端部で作業者が該最適組み合わせの物品をピックアップすることを特徴とする、
組み合わせ計量機の使用方法。
【請求項１３】
該組み合わせ計量機に用いる計量皿は、
載置位置から１８０度回転することにより該搬送手段上に物品を排出することを特徴とする、
請求項１２記載の組み合わせ計量機の使用方法。
【請求項１４】
該組み合わせ計量機に用いる計量皿は、
載置位置における水平中心線に対して上下で対象形であることを特徴とする、
請求項１２又は１３記載の組み合わせ計量機の使用方法。
【請求項１５】
該組み合わせ計量機に用いる計量皿は、
両端側が上面に於いて高くなる形状であることを特徴とする、
請求項１２乃至１４の何れか一に記載の組み合わせ計量機の使用方法。
【請求項１６】
該組み合わせ計量機に備えられる最適組み合わせに該当する物品の載置された計量皿が該回転機構により回転して該搬送手段上に物品を排出する機構は、
該最適組み合わせの物品を搬送する搬送手段と同期して動作し、
最適組み合わせに該当する物品を該搬送手段上に於いて統合することを特徴とする、
請求項１２乃至１５の何れか一に記載の組み合わせ計量機の使用方法。
【請求項１７】
該搬送手段は、
搬送面上に仕切りを有し、
最適組み合わせに該当する物品を該搬送手段上に於いて統合するにあたって該仕切りにて区分されることを特徴とする、
請求項１２乃至１６の何れか一に記載の組み合わせ計量機の使用方法。
【請求項１８】
該搬送手段は、
搬送面上に仕切りを有し、
該仕切りに収納容器を設置し、
最適組み合わせに該当する物品を該搬送手段上に於いて統合するにあたって該仕切りに設置された収納容器に収納されることを特徴とする、
請求項１７記載の組み合わせ計量機の使用方法。
【請求項１９】
該組み合わせ計量機に備えられる最適組み合わせに該当する物品の載置された計量皿が該回転機構により回転して該搬送手段上に物品を排出する機構は、
該最適組み合わせの物品を搬送する搬送手段と同期して動作し、
さらに該搬送手段はその搬送動作中に速度が変化して、
最適組み合わせに該当する物品を該搬送手段上に於いて統合することを特徴とする、
請求項１２乃至１８の何れか一に記載の組み合わせ計量機の使用方法。
【請求項２０】
該組み合わせ計量機に備えられる該搬送手段の搬送動作中の速度変化は、
該回転機構が該搬送手段に備えられた仕切りの略中央部で減速または停止することであることを特徴とする、
請求項１９記載の組み合わせ計量機の使用方法。
【請求項２１】
該組み合わせ計量機の計量皿は、
樹脂製であることを特徴とする、
請求項１２乃至２０の何れか一に記載の組み合わせ計量機の使用方法。
【請求項２２】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項２１記載の組み合わせ計量機の使用方法。
【発明の詳細な説明】
【技術分野】
【０００１】
本発明は、野菜等を規定の重量以上且つ最小となるような単体及び／又は組み合わせを秤量するための計量機において、簡便な構成でセミオートの組み合わせ排出、搬送が可能な組み合わせ計計量機及び組み合わせ計量機の使用方法に関するものである。
【背景技術】
【０００２】
食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
そこで、量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。
【０００５】
しかし、個別の農家や小規模の出荷組合等に於いては大規模で高価な自動機の組み合わせ計量機を導入する余裕はなく、手作業による秤量選別が行われているのが実情である。また、単体の計量機或いは組み合わせ計量機を問わず、計量対象に水滴の付着した野菜類、泥や土の付着した野菜類、水分含有量の多い食品類或いは軟弱な食品類に対応して、防水構造により水分及び／又は汚染物の測定部への侵入を防止し、安定した計測を行えるものは非常に高価な装置であり、個別の農家や小規模の出荷組合等に於いては導入が難しかった。
【先行技術文献】
【特許文献】
【０００６】
【特許文献１】特開２０１４ー１３９５５２号公報
【特許文献２】特開２０１３ー２５３８６２号公報
【特許文献３】特開２０１１ー２３７４１９号公報
【特許文献４】特開２０１１ー４７８９１号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは非常に困難である。また、個別の農家や小規模の出荷組合等では頻繁な対象商品の切り替えが必要で、その段取り変更は全自動機では却って煩雑となってしまう。
【０００８】
作業の効率化のためには載置、計量、排出、搬送、梱包の一連の作業を完全自動化するのが最も良いと考えられ、かかる装置の開発の努力が続けられてきた。（特許文献１乃至４参照）しかし、このような全自動機は非常に高価であり、個別の農家や小規模の出荷組合等に於いて導入することは不可能であった。また、頻繁に対象物品が変更になる個別の農家や小規模の出荷組合等に於いては変更対応の段取りや作業が煩雑になり、却って非効率となってしまう。さらに、軟弱な食品（例えばタラコや明太子など）はホッパを通すと破損してしまう確率が高く、歩留まりの低下にもつながっていた。
【０００９】
これらの課題を解決するため、簡素な構成でコストが安く、軟弱な商品等を含む各種の商品に対応可能で、効率の良い作業が可能な組み合わせ計量機を実現することが急務となっている。
【課題を解決するための手段】
【００１０】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該最適組み合わせの物品を搬送する搬送手段を有し、最適組み合わせに該当する物品を該搬送手段上に於いて統合する組み合わせ計量機において、該計量皿は回転機構を有し、最適組み合わせに該当する物品の載置された計量皿が該回転機構により回転して該搬送手段上に物品を排出することを特徴とする、組み合わせ計量機である。
【００１１】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該最適組み合わせの物品を搬送する搬送手段を有し、最適組み合わせに該当する物品を該搬送手段上に於いて統合する組み合わせ計量機において、該計量皿は回転機構を有し、最適組み合わせに該当する物品の載置された計量皿が該回転機構により回転して該搬送手段上に物品を排出し、該搬送手段により該最適組み合わせの物品を搬送して該搬送手段の末端部で作業者が該最適組み合わせの物品をピックアップすることを特徴とする、組み合わせ計量機の使用方法である。
【００１２】
また本発明は、該組み合わせ計量機に用いる計量皿が、載置位置から１８０度回転することにより該搬送手段上に物品を排出することを特徴とする、組み合わせ計量機であり又組み合わせ計量機の使用方法である。
【００１３】
また本発明は、該組み合わせ計量機に用いる計量皿が、載置位置における水平中心線に対して上下で対象形であることを特徴とする。
【００１４】
また本発明は、該組み合わせ計量機に用いる計量皿が、両端側が上面に於いて高くなる形状であることを特徴とする。
【００１５】
また本発明は、該組み合わせ計量機に備えられる最適組み合わせに該当する物品の載置された計量皿が該回転機構により回転して該搬送手段上に物品を排出する機構が、該最適組み合わせの物品を搬送する搬送手段と同期して動作し、最適組み合わせに該当する物品を該搬送手段上に於いて統合することを特徴とする。
【００１６】
また本発明は、該搬送手段が、搬送面上に仕切りを有し、最適組み合わせに該当する物品を該搬送手段上に於いて統合するにあたって該仕切りにて区分されることを特徴とする。
【００１７】
また本発明は、該搬送手段が、搬送面上に仕切りを有し、該仕切りに収納容器を設置し、最適組み合わせに該当する物品を該搬送手段上に於いて統合するにあたって該仕切りに設置された収納容器に収納されることを特徴とする。
【００１８】
また本発明は、該組み合わせ計量機に備えられる最適組み合わせに該当する物品の載置された計量皿が該回転機構により回転して該搬送手段上に物品を排出する機構において、該最適組み合わせの物品を搬送する搬送手段と同期して動作し、さらに該搬送手段はその搬送動作中に速度が変化して、最適組み合わせに該当する物品を該搬送手段上に於いて統合することを特徴とする。
【００１９】
また本発明は、該組み合わせ計量機に備えられる該搬送手段の搬送動作中の速度変化が、該回転機構が該搬送手段に備えられた仕切りの略中央部で減速または停止することであることを特徴とする。
【００２０】
また本発明は、該組み合わせ計量機の計量皿が、樹脂製であることを特徴とする。ここで、、該組み合わせ計量機の計量皿は合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されることが望ましい
【発明の効果】
【００２１】
本発明に係る組み合わせ計量機及び組み合わせ計量機の使用方法は、簡素な構成で安価にセミオートの組み合わせ計量機を実現することにより計量機の用途を拡大することを可能とし、作業効率を向上させ、もって社会に資することが出来る。
【図面の簡単な説明】
【００２２】
【図１】図１は、本発明に係る組み合わせ計量機に用いる計量皿を説明するための図面代用写真である。
【図２】図２は、本発明に係る組み合わせ計量機の搬送機構に備えられる仕切りを説明するための図面代用写真である。
【図３】図３は、本発明に係る組み合わせ計量機の搬送機構の末端部（取り出し部）を説明するための図面代用写真である。
【発明を実施するための形態】
【００２３】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該最適組み合わせの物品を搬送する搬送手段を有し、最適組み合わせに該当する物品を該搬送手段上に於いて統合する組み合わせ計量機において、該計量皿は回転機構を有し、最適組み合わせに該当する物品の載置された計量皿が該回転機構により回転して該搬送手段上に物品を排出することを特徴とする、組み合わせ計量機である。
【００２４】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該最適組み合わせの物品を搬送する搬送手段を有し、最適組み合わせに該当する物品を該搬送手段上に於いて統合する組み合わせ計量機において、該計量皿は回転機構を有し、最適組み合わせに該当する物品の載置された計量皿が該回転機構により回転して該搬送手段上に物品を排出し、該搬送手段により該最適組み合わせの物品を搬送して該搬送手段の末端部で作業者が該最適組み合わせの物品をピックアップすることを特徴とする、組み合わせ計量機の使用方法である。
【００２５】
また本発明は、該組み合わせ計量機に用いる計量皿が、載置位置から１８０度回転することにより該搬送手段上に物品を排出することを特徴とする、組み合わせ計量機であり又組み合わせ計量機の使用方法である。
【００２６】
また本発明は、該組み合わせ計量機に用いる計量皿が、載置位置における水平中心線に対して上下で対象形であることを特徴とする。
【００２７】
また本発明は、該組み合わせ計量機に用いる計量皿が、両端側が上面に於いて高くなる形状であることを特徴とする。
【００２８】
また本発明は、該組み合わせ計量機に備えられる最適組み合わせに該当する物品の載置された計量皿が該回転機構により回転して該搬送手段上に物品を排出する機構が、該最適組み合わせの物品を搬送する搬送手段と同期して動作し、最適組み合わせに該当する物品を該搬送手段上に於いて統合することを特徴とする。
【００２９】
また本発明は、該搬送手段が、搬送面上に仕切りを有し、最適組み合わせに該当する物品を該搬送手段上に於いて統合するにあたって該仕切りにて区分されることを特徴とする。
【００３０】
また本発明は、該搬送手段が、搬送面上に仕切りを有し、該仕切りに収納容器を設置し、最適組み合わせに該当する物品を該搬送手段上に於いて統合するにあたって該仕切りに設置された収納容器に収納されることを特徴とする。
【００３１】
また本発明は、該組み合わせ計量機に備えられる最適組み合わせに該当する物品の載置された計量皿が該回転機構により回転して該搬送手段上に物品を排出する機構において、該最適組み合わせの物品を搬送する搬送手段と同期して動作し、さらに該搬送手段はその搬送動作中に速度が変化して、最適組み合わせに該当する物品を該搬送手段上に於いて統合することを特徴とする。
【００３２】
また本発明は、該組み合わせ計量機に備えられる該搬送手段の搬送動作中の速度変化が、該回転機構が該搬送手段に備えられた仕切りの略中央部で減速または停止することであることを特徴とする。
【００３３】
また本発明は、該組み合わせ計量機の計量皿が、樹脂製であることを特徴とする。ここで、、該組み合わせ計量機の計量皿は合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されることが望ましい
【００３４】
本発明に係る組み合わせ計量機及び組み合わせ計量機の使用方法は、簡素な構成で安価にセミオートの組み合わせ計量機を実現することにより計量機の用途を拡大することを可能とし、作業効率を向上させ、個別の農家や小規模の出荷組合等に於いても導入可能となり、産業上非常に有効である。
【実施例】
【００３５】
図１は、本発明に係る組み合わせ計量機に用いる計量皿１を説明するための図面代用写真である。本発明に係る組み合わせ計量機及び組み合わせ計量機の使用方法に於いては、計量対象物品の載置及び最適組み合わせとなった物品のピックアップは作業者が行い、組み合わせ計量機は最適組み合わせの計算、搬送手段への排出及び末端部（取り出し部）への搬送のみを行うセミオート機構である。
【００３６】
本発明に於いては、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該最適組み合わせの物品を搬送する搬送手段を有し、最適組み合わせに該当する物品を該搬送手段上に於いて統合する組み合わせ計量機において、該計量皿１は回転機構を有し、最適組み合わせに該当する物品の載置された計量皿が該回転機構により回転して該搬送手段２上に物品を排出し、該搬送手段により該最適組み合わせの物品を搬送して該搬送手段の末端部４で作業者が該最適組み合わせの物品をピックアップする。
【００３７】
該組み合わせ計量機に用いる計量皿は、載置位置から１８０度回転することにより該搬送手段上に物品を排出する。かかる動作のため、計量皿から搬送手段上への排出時にホッパ等を用いた場合と異なり対象物品へのダメージが極小に抑えられ、軟弱な物品（例えばタラコや明太子など）であっても影響を受けずに組み合わせ計量が行えるようになった。
【００３８】
本発明に係る計量皿１は、載置位置における水平中心線に対して上下で対象形とした。これにより、載置位置から１８０度回転することにより該搬送手段上に物品を排出する前後で同形同位置となり、安定した作業を継続的に行うことができる。なお、計量皿１の形状には制限はなく、例えば端部がさらに高くなった形状等の他の形状であっても問題無い。
【００３９】
本発明に於いては、該組み合わせ計量機に備えられる最適組み合わせに該当する物品の載置された計量皿が該回転機構により回転して該搬送手段上に物品を排出する機構が、該最適組み合わせの物品を搬送する搬送手段と同期して動作し、最適組み合わせに該当する物品を該搬送手段上に於いて統合する。
【００４０】
図２は、本発明に係る組み合わせ計量機の搬送機構に備えられる仕切りを説明するための図面代用写真である。本図面代用写真に示されたように、本発明に於いては、該搬送手段２は搬送面上に仕切り３を有し、最適組み合わせに該当する物品を該搬送手段上に於いて統合するにあたって該仕切りにて区分されるようにした。
【００４１】
また、該仕切り３の間に収納容器を設置し、最適組み合わせに該当する物品を該搬送手段２上に於いて統合するにあたって該仕切りに設置された収納容器に収納されるようにすることも有効である。こうすることにより、パッケージ上に最適組み合わせの物品を排出することが出来、作業者はこのパッケージごとピックアップすれば良いから、作業効率は格段に向上した。
【００４２】
さらにかかる方法を用いると、軟弱な物品（例えばタラコや明太子など）の組み合わせ計量に於いて非常に有利であり、その原型を崩さずにパッケージすることが非常に容易になった。さらには、かかる方法は水分を多く含み或いは漬け汁等を用いた物品（例えば明太子など）に於いても非常に有効であった。
【００４３】
図３は、本発明に係る組み合わせ計量機の搬送機構の末端部（取り出し部）を説明するための図面代用写真である。本発明に係る組み合わせ計量機の搬送機構の末端部（取り出し部）４に於いて、作業者が最適組み合わせで搬送されてくる物品をピックアップする。
【００４４】
ここで、本発明に於いては、該組み合わせ計量機に備えられる最適組み合わせに該当する物品の載置された計量皿が該回転機構により回転して該搬送手段上に物品を排出する機構において、該最適組み合わせの物品を搬送する搬送手段と同期して動作し、さらに該搬送手段はその搬送動作中に速度が変化して、最適組み合わせに該当する物品を該搬送手段上に於いて統合するようにした。
【００４５】
該組み合わせ計量機に備えられる該搬送手段の搬送動作中の速度変化は、該回転機構が該搬送手段に備えられた仕切りの略中央部で減速または停止するようにした。これにより安定した組み合わせ計量が可能になると同時に、前記の減速または停止タイミングに於いて搬送機構の末端部（取り出し部）４に於いて、作業者が最適組み合わせで搬送されてくる物品をピックアップすることが容易になった。
【００４６】
ここで本発明に於いては、該組み合わせ計量機の計量皿が、樹脂製であることを特徴とする。ここで、、該組み合わせ計量機の計量皿は合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されることが望ましい
【００４７】
かかる材料を用いることにより、計量皿自身の重量が低減され、相対的にロードセルの測定精度が向上し、安定した計量が可能となった。
【００４８】
以上述べてきたように、本発明に係る組み合わせ計量機及び組み合わせ計量機の使用方法は、簡素な構成で安価にセミオートの組み合わせ計量機を実現することにより計量機の用途を拡大することを可能とし、作業効率を向上させ、さらに個別の農家や小規模の出荷組合等に於いても導入可能となり、作業効率の向上と農家所得の増大に与って効果のあるものとなった。
【産業上の利用可能性】
【００４９】
本発明に係る組み合わせ計量機及び組み合わせ計量機の使用方法は、簡素な構成で安価にセミオートの組み合わせ計量機を実現することにより計量機の用途を拡大することを可能とし、作業効率を向上させ、産業上の利用可能性は大である。
【符号の説明】
【００５０】
１    計量皿
２    搬送手段
３    仕切り部
４    末端部（取り出し部）
【図１】
2018072177.tif 000003
【図２】
2018072177.tif 000004
【図３】
2018072177.tif 000005